(57)【要約】【課題】専用品のパレットや複雑な構造のスリーブを必要とせず簡単な構成で，トレー結合体を構成できる物品載置用トレーを提供すること。【解決手段】この物品載置用トレー１は，複数個を環状に配置して全体でトレー結合体１６を形成するものである。物品載置用トレー１は，上方から見たときの全体形状が，トレー結合体１６における外辺の一部をなす第１長辺部２および第１短辺部４と，トレー結合体１６における外辺の一部をなさない第２長辺部３および第２短辺部５とを有する形状である。第２長辺部３には第１結合形状部が形成されており，第２短辺部５には第２結合形状部が形成されている。トレー結合体１６を組んだ状態では，ある物品載置用トレー１の第１結合形状部と他の物品載置用トレー１の第２結合形状部とが結合されている。【選択図】図９
2019094076.tif 000002
【特許請求の範囲】
【請求項１】
複数個を環状に配置して全体でトレー結合体を形成する物品載置用トレーであって，
上方から見たときの全体形状が，
トレー結合体における外辺の一部をなす外向き辺と，
トレー結合体における外辺の一部をなさず，前記外向き辺の一方の隣に位置する第１内向き辺と，
トレー結合体における外辺の一部をなさず，前記外向き辺の他方の隣に位置するとともに，トレー結合体を構成したときに他の物品載置用トレーの前記第１内向き辺と結合される第２内向き辺とを有する形状であり，
前記第１内向き辺には，他の物品載置用トレーの前記第２内向き辺と結合されるための第１結合形状部が形成されており，
前記第２内向き辺には，他の物品載置用トレーの前記第１内向き辺と結合されるための第２結合形状部が形成されていることを特徴とする物品載置用トレー。
【請求項２】
請求項１に記載の物品載置用トレーであって，
前記外向き辺が，隣り合う非平行な第１外向き辺と第２外向き辺とで構成されており，  前記第１内向き辺は前記第１外向き辺の隣に位置し，前記第２内向き辺は前記第２外向き辺の隣に位置することを特徴とする物品載置用トレー。
【請求項３】
請求項１または請求項２に記載の物品載置用トレーであって，
前記外向き辺に沿って，上方に向かって開口しており板状部材を上方から挿入できる側壁保持形状部が形成されていることを特徴とする物品載置用トレー。
【請求項４】
請求項３に記載の物品載置用トレーであって，
前記側壁保持形状部には，挿入された板状部材を受け止める保持面が形成されており，  前記外向き辺に部分的に，前記保持面よりも下方に凹んだ底部が形成されており，
前記底部には，下方の部材との結合のための第３結合形状部が形成されていることを特徴とする物品載置用トレー。
【請求項５】
請求項１から請求項４までのいずれか１つに記載の物品載置用トレーであって，
前記第１結合形状部に，外向きに迫り出す第１結合ステージが形成されるとともに，
前記第２結合形状部に，外向きに迫り出す第２結合ステージが形成されており，
前記第１結合ステージと前記第２結合ステージとは，異なる高さレベルで形成されており，
前記第１結合ステージおよび前記第２結合ステージにおける，高い方のレベルに形成されているものの下面側，および低い方のレベルに形成されているものの上面側には，トレー結合体を構成したときに他の物品載置用トレーの前記第１結合ステージもしくは前記第２結合ステージを収容する凹部が形成されており，
前記第１結合ステージおよび前記第２結合ステージには，他の物品載置用トレーの前記第２結合ステージもしくは前記第１結合ステージと重ね合わせられたときに互いに対応する位置に穴が開けられていることを特徴とする物品載置用トレー。
【請求項６】
請求項１から請求項５までのいずれか１つに記載の物品載置用トレーを複数個有し，
ある物品載置用トレーの前記第１結合形状部と他の物品載置用トレーの前記第２結合形状部とが結合することで全体が環状に構成されていることを特徴とするトレー結合体。
【発明の詳細な説明】
【技術分野】
【０００１】
本発明は，物品を載置するための物品載置用トレーに関する。さらに詳細には，複数個を環状に配置することで全体として環状のトレー結合体を形成することができる物品載置用トレーに関するものである。本発明はまた，複数個のトレー結合体により環状に構成したトレー結合体をも対象とする。
【背景技術】
【０００２】
従来の物品載置用具として，特許文献１に記載されている梱包システムを挙げることができる。同文献の図１に記載されている梱包システムは，「パレットＰ」，「スリーブＳ」，「蓋兼中間トレーＴ」により構成されている。「スリーブＳ」は，全体として角筒状であるとともに，内部にも「中仕切り部材１１」を有しており複数の部屋に区画されている。この「スリーブＳ」を「パレットＰ」上に載置することで，「スリーブＳ」の各部屋に物品を収納することが可能となる。このため「パレットＰ」には，「スリーブＳ」の下端を収納する「周縁溝６」や「溝７」が形成されている。なお「蓋兼中間トレーＴ」は，「スリーブＳ」の上端の蓋をするものであるとともに，多段積みのための中間部材として機能するものである。
【先行技術文献】
【特許文献】
【０００３】
【特許文献１】特開2004-42932号公報
【発明の概要】
【発明が解決しようとする課題】
【０００４】
しかしながら前記した従来の技術では「パレットＰ」として，前述のように「周縁溝６」や「溝７」が形成されているものを使用する必要がある。このような「パレットＰ」は，汎用品ではなく，特許文献１の梱包システムのための専用品である。つまり，汎用品として一般的に提供されているパレットを使用することができなかった。また，複数個の物品を載置するためには「スリーブＳ」に「中仕切り部材１１」を備える必要があった。このため「スリーブＳ」の構造が複雑で，その生産性が低かった。
【０００５】
本発明は，前記した従来の技術が有する問題点を解決するためになされたものである。すなわちその課題とするところは，専用品のパレットや複雑な構造のスリーブを必要とせず簡単な構成で，複数の物品を載置できる状態を構成できる物品載置用トレーを提供することにある。また，その物品載置用トレーを複数個結合したトレー結合体をも提供する。
【課題を解決するための手段】
【０００６】
本発明の一態様における物品載置用トレーは，複数個を環状に配置して全体でトレー結合体を形成するものであって，上方から見たときの全体形状が，トレー結合体における外辺の一部をなす外向き辺と，トレー結合体における外辺の一部をなさず，外向き辺の一方の隣に位置する第１内向き辺と，トレー結合体における外辺の一部をなさず，外向き辺の他方の隣に位置するとともに，トレー結合体を構成したときに他の物品載置用トレーの第１内向き辺と結合される第２内向き辺とを有する形状であり，第１内向き辺には，他の物品載置用トレーの第２内向き辺と結合されるための第１結合形状部が形成されており，第２内向き辺には，他の物品載置用トレーの第１内向き辺と結合されるための第２結合形状部が形成されているものである。
【０００７】
上記態様における物品載置用トレーは，単独で物品を載置することもできるが，複数個でトレー結合体を形成して複数の物品を載置することもできる。トレー結合体を形成している状態では，各物品載置用トレーは回転対称状（風車状）に配置されて全体で環状をなしている。そして，ある物品載置用トレーの第１内向き辺と隣の物品載置用トレーの第２内向き辺とが対面するとともに，各物品載置用トレーの外向き辺の集合によりトレー結合体の外辺が構成されている。第１内向き辺と第２内向き辺との対面箇所では，第１結合形状部と第２結合形状部とが結合されている。これにより全体が一体をなし，トレー結合体を構成している。このトレー結合体の下にパレットを取り付けることもできるが，その場合のパレットは汎用品でよい。
【０００８】
上記態様の物品載置用トレーでは，外向き辺が，隣り合う非平行な第１外向き辺と第２外向き辺とで構成されており，第１内向き辺は第１外向き辺の隣に位置し，第２内向き辺は第２外向き辺の隣に位置することが望ましい。このようになっていれば，物品載置用トレーを上方から見た全体形状が多角形（例えば長方形）となる。トレー結合体の全体形状も多角形（例えば正方形）となり，使いやすい。
【０００９】
上記態様の物品載置用トレーではまた，外向き辺に沿って，上方に向かって開口しており板状部材を上方から挿入できる側壁保持形状部が形成されていることが望ましい。このようになっていれば，トレー結合体を組んだ状態では側壁保持形状部を利用して，トレー結合体の全体を囲む側壁部材を保持できる。その壁状部材は単純な筒状もしくは角筒状で十分で，内部仕切りを要しない。
【００１０】
側壁保持形状部を有する態様の物品載置用トレーではさらに，側壁保持形状部には，挿入された板状部材を受け止める保持面が形成されており，外向き辺に部分的に，保持面よりも下方に凹んだ底部が形成されており，底部には，下方の部材との結合のための第３結合形状部が形成されていることが望ましい。このようになっていれば，第３結合形状部を利用して物品載置用トレーを下方の部材と何らかの締結部材で結合している場合であっても，締結物材が側壁部材の保持を邪魔しない。
【００１１】
上記のいずれかの態様の物品載置用トレーではまた，第１結合形状部に，外向きに迫り出す第１結合ステージが形成されるとともに，第２結合形状部に，外向きに迫り出す第２結合ステージが形成されており，第１結合ステージと第２結合ステージとは，異なる高さレベルで形成されており，第１結合ステージおよび第２結合ステージにおける，高い方のレベルに形成されているものの下面側，および低い方のレベルに形成されているものの上面側には，トレー結合体を構成したときに他の物品載置用トレーの第１結合ステージもしくは第２結合ステージを収容する凹部が形成されており，第１結合ステージおよび第２結合ステージには，他の物品載置用トレーの前記第２結合ステージもしくは第１結合ステージと重ね合わせられたときに互いに対応する位置に穴が開けられていることが望ましい。
【００１２】
このようにされていれば，すべて同一の種類の物品載置用トレーによりトレー結合体を構成することができる。物品載置用トレー同士のどの対面箇所においても，第１結合ステージおよび第２結合ステージのうち低い方のレベルに形成されているものと高い方のレベルに形成されているものとが１枚ずつ重ね合わせられることになるからである。このため，製造上，複数種類の物品載置用トレーを作り分ける必要がない。また，使用上も，複数種類の物品載置用トレーを管理して使い分ける必要がない。
【００１３】
上記のいずれかの態様の物品載置用トレーではまた，上面側に，載置物品を支持する支持形状部を有することが望ましい。このようになっていれば，載置されている物品が物品載置用トレー状で安定するからである。
【００１４】
本発明の別の一態様におけるトレー結合体は，上記のいずれか１つの態様の物品載置用トレーを複数個有し，ある物品載置用トレーの第１結合形状部と他の物品載置用トレーの第２結合形状部とが結合することで全体が環状に構成されているものである。このようなトレー結合体では前述のように，パレットを用いる場合でも汎用品で済み専用品を要しない。
【発明の効果】
【００１５】
本構成によれば，専用品のパレットや複雑な構造のスリーブを必要とせず簡単な構成で，複数の物品を載置できる状態を構成できる物品載置用トレーが提供されている。また，その物品載置用トレーを複数個結合したトレー結合体も提供されている。
【図面の簡単な説明】
【００１６】
【図１】実施の形態に係る物品載置用トレーの斜視図である。
【図２】実施の形態に係る物品載置用トレーの，図１とは別の方向からの斜視図である。
【図３】実施の形態に係る物品載置用トレーの裏面側の斜視図である。
【図４】実施の形態に係る物品載置用トレーの平面図である。
【図５】複数個の物品載置用トレーにより組んだトレー結合体に複数個の物品を載置している状況を示す斜視図である。
【図６】パレットと複数個の物品載置用トレーとにより組んだトレー結合体の平面図である。
【図７】図５の状況に対して上箱体を被せた状況を仮想的に示す斜視図である。
【図８】梱包体を多段積みした状況を示す斜視図である。
【図９】複数個の物品載置用トレーのみにより組んだトレー結合体の平面図である。
【図１０】パレット上にトレーを配置していく状況を示す斜視図である。
【図１１】梱包体の状態での断面図（その１）である。
【図１２】梱包体の状態での断面図（その２）である。
【図１３】梱包体の状態での断面図（その３）である。
【図１４】変形例に係る物品載置用トレーの斜視図である。
【図１５】変形例に係る物品載置用トレーの平面図である。
【図１６】変形例に係る物品載置用トレーにより組んだトレー結合体の斜視図である。
【発明を実施するための形態】
【００１７】
以下，本発明を具体化した実施の形態について，添付図面を参照しつつ詳細に説明する。本形態は，図１〜図４に示す物品載置用トレー（以下，単に「トレー」という）１として本発明を具体化したものである。トレー１は，上方から見て長方形状の全体形状をなす（図４参照）ものである。トレー１は，第１長辺部２と，第２長辺部３と，第１短辺部４と，第２短辺部５とを有している。また，トレー１の中央部には開口部８が形成されている。トレー１において，図１，図２，図４に見えているのが，物品を載置するための上向きの面であり，図３に見えているのは裏面である。トレー１ではさらに，第１短辺部４および第２短辺部５に，稜状の物品支持形状部９，１０が形成されている。
【００１８】
トレー１は，４個１組でトレー結合体をなして４個の物品を１まとめに載置するためのものである。図５に，パレット１２と４個のトレー１とで組んだトレー結合体１３に４個の物品を載置している状況を示す。この４個のトレー１は，みな同じものである。図５では，各トレー１に載置物品として鋼線巻き取り用ボビン１４が載置されている状況を示している。図５中の４個の鋼線巻き取り用ボビン１４は，９０°ずつ向きを変えて，上方から見て回転対称状（風車状）をなすように配置されている。
【００１９】
図５の状態から４個の鋼線巻き取り用ボビン１４を除いたトレー結合体１３の平面図を図６に示す。図６から明らかなようにトレー結合体１３における４個のトレー１も，図５中の４個の鋼線巻き取り用ボビン１４と同様に回転対称状（風車状）をなす配置とされている。図６では，各トレー１における開口部８の箇所と，４個のトレー１の中央の隙間１５の箇所とで，パレット１２の表面が覗いている。
【００２０】
図５に示した状態のトレー結合体１３および４個の鋼線巻き取り用ボビン１４に対して，図７に示すように上箱体２０を被せることができる。図７中では上箱体２０を二点鎖線で示している。上箱体２０は，角筒部材２１と蓋部材２２とで構成されている。角筒部材２１は，トレー結合体１３の縁辺に立つ４枚の板状の壁部材を一体的に設けた角型筒状の部材である。角筒部材２１は「中仕切り部材１１」に相当する部位を有しない。蓋部材２２は，角筒部材２１の上端の開口を塞ぐ部材である。以下，トレー結合体１３，４個の鋼線巻き取り用ボビン１４，および上箱体２０の全体を，梱包体２３という。図８に示すように梱包体２３を多段積みすることができる。
【００２１】
また，図９に示すようにパレット１２を用いず４個のトレー１のみでトレー結合体１６を組むこともできる。すなわち図９のトレー結合体１６は，図６のトレー結合体１３からパレット１２を除いたものである。図９のトレー結合体１６に対しても，４個の鋼線巻き取り用ボビン１４を載置することができる。さらに，トレー結合体１６に上箱体２０を被せることもできる。図９のトレー結合体１６は，全体で正方形状をなしている。図９のトレー結合体１６における各トレー１では，第１長辺部２および第１短辺部４が，トレー結合体１６としての外辺に面している。一方，第２長辺部３および第２短辺部５は，トレー結合体１６としての外辺に面していない。
【００２２】
以下，個々のトレー１についてさらに説明する。図１に示されるように，トレー１の第１長辺部２および第１短辺部４には，縁辺１７，１８に沿って，側壁保持形状部１９が形成されている。縁辺１７，１８は，トレー結合体１６における外辺の一部をなす外向き辺である。側壁保持形状部１９は，上方に向かって開口する溝状をなしており，前述の角筒部材２１の下端を挿し込むための部位である。このため側壁保持形状部１９は有底である。すなわち側壁保持形状部１９には，上方を向いた保持面２４が形成されている。この保持面２４で角筒部材２１の下端を受け止めるようになっている。
【００２３】
トレー１の縁辺１７，１８にはさらに，保持面２４よりも下方に凹んだ底部２５が部分的に形成されている。さらに底部２５には，穴２６が形成されている。穴２６は，トレー１を前述のパレット１２に結合するための形状である。本形態のトレー１では縁辺１７，１８にそれぞれ２箇所ずつ，計４箇所の穴２６が形成されている。穴２６を用いて，ボルト止め等の手段により，トレー１をパレット１２に結合することができる。その場合でも，ボルトの頭が角筒部材２１の下端と干渉することはない。穴２６が保持面２４よりも低い底部２５に形成されているからである。
【００２４】
一方，トレー１の第２長辺部３および第２短辺部５は，第１長辺部２や第１短辺部４の前述の構造とは異なる構造となっている。第２長辺部３および第２短辺部５には，水平な第１結合ステージ２７および第２結合ステージ２８が形成されている（図２参照）。第１結合ステージ２７および第２結合ステージ２８は，第２長辺部３および第２短辺部５の縁辺２９，３０に対して部分的に形成されており，外向きに迫り出す形状である。ただし第１結合ステージ２７および第２結合ステージ２８は，図９のトレー結合体１６において外向きに迫り出している訳ではない。縁辺２９，３０が，トレー結合体１６における外辺の一部をなさない内向き辺であるためである。なお，縁辺１７，１８を合わせた全体を外向き辺と見たとき，縁辺２９は外向き辺の一方の隣に位置する辺であり，縁辺３０は外向き辺の他方の隣に位置する辺である。
【００２５】
第１結合ステージ２７および第２結合ステージ２８は，トレー結合体１６において，隣のトレー１同士の結合のための形状である。すなわち図９のトレー結合体１６に４箇所あるトレー１同士の突き合わせ箇所では，第１結合ステージ２７と第２結合ステージ２８とが重ね合わせられている。
【００２６】
ここで図２を子細に見ると分かるのだが，第２結合ステージ２８がトレー１の全体としての高さ方向寸法中の下端に寄せて形成されているのに対し，第１結合ステージ２７はそれよりも上方に浮いた高さレベルの位置に形成されている。このため，前述の４箇所の突き合わせ箇所ではいずれも，第１結合ステージ２７が上側に位置し，第２結合ステージ２８はその下に位置するように両者が重なっている。そしてそのため，第２結合ステージ２８の上側には，凹部３１が形成されている（図２参照）。凹部３１はむろん，隣のトレー１の第１結合ステージ２７を収容するためのスペースである。一方，第１結合ステージ２７の下側にも同様に，凹部３２が形成されている（図３参照）。凹部３２はむろん，隣のトレー１の第２結合ステージ２８を収容するためのスペースである。
【００２７】
そして，第１結合ステージ２７および第２結合ステージ２８には，それぞれ穴３３が形成されている。穴３３は，トレー１同士で第１結合ステージ２７と第２結合ステージ２８とを重ね合わせたときに重なり合う位置に設けられている。本形態のトレー１では第１結合ステージ２７および第２結合ステージ２８に，それぞれ２箇所ずつの穴３３が形成されている。穴３３を用いて，ボルト止め等の手段により，トレー１同士の第１結合ステージ２７と第２結合ステージ２８とを結合することができる。同じボルトでパレット１２への結合をも行うことも可能である。
【００２８】
図１０に，パレット１２を用いてトレー結合体１３を組んでいく途中の状況の斜視図を示す。図１０に示されるのは，パレット１２の上方に１つめのトレー１を配置した状況である。この状況では，パレット１２とトレー１との間に隙間がある。この状況からトレー１を下降させてパレット１２の表面上に載置する。その際，トレー１の縁辺１７，１８がなす角がパレット１２の角と一致するようにする。そして順にパレット１２の角に合わせてトレー１を載置していく。そして，例えばボルト３４とナット３５とにより，トレー１をパレット１２に固定する。
【００２９】
ここで，トレー１を１つパレット１２に載置するごとにボルト締めを固く行ってしまうと，最後の４番目のトレー１を載置しにくい。最後のトレー１と両隣のトレー１との間での第１結合ステージ２７および第２結合ステージ２８の重ね合わせ箇所を両方とも正しく重ね合わせることがしづらくなるからである。このため，初めのうちは緩い締め方に留めておき，最後のトレー１を正しく載置してから増し締めするのがよい。
【００３０】
こうしてトレー結合体１３が構成されると，４つのトレー１の側壁保持形状部１９が全体で正方形状をなす。その正方形は，パレット１２を上方から見た正方形よりやや小さい程度である。この正方形の側壁保持形状部１９に対して角筒部材２１の下部が挿し込まれる。
【００３１】
続いて，梱包体２３の状態での各部材間の状況を，図１１〜図１３の断面図により説明する。これらの断面図はいずれも，梱包体２３におけるトレー１およびパレット１２の辺りの高さ範囲を描いたものである。この範囲内に，鋼線巻き取り用ボビン１４や角筒部材２１の下部も現れている。描いている断面位置は，図６のＡ−Ａ位置（図１１），Ｂ−Ｂ位置（図１２），Ｃ−Ｃ位置（図１３）である。視線はいずれも図６中の矢印Ｆである。
【００３２】
図１１〜図１３のいずれにおいても，物品支持形状部９，１０により鋼線巻き取り用ボビン１４が安定して支持されている状況が現れている。なお図１３においては物品支持形状部９，１０の内部がソリッド状になっているがこれは，図１３の断面位置が，物品支持形状部９，１０の内部リブ３６（図３参照）の位置と一致したためである。
【００３３】
これら３つの断面図のうち図１２および図１３では，側壁保持形状部１９の保持面２４により角筒部材２１の下端が受け止められている状況が現れている（図中左端付近）。しかし図１１ではこの状況が現れていない。図１１の断面位置が，前述の底部２５が形成されている位置だからである。そしてその図１１における当該箇所には，ボルト３４およびナット３５が現れている。これは，トレー１の底部２５をパレット１２に固定しているものである。ここで前述のように底部２５が保持面２４より低いため，ボルト３４の頭は角筒部材２１を邪魔していない。
【００３４】
一方で図１３には，トレー１同士の結合箇所の状況が現れている（図中右寄りの箇所）。すなわちその箇所では，第１結合ステージ２７と第２結合ステージ２８とが重ね合わせられている。当該箇所の第１結合ステージ２７は図中右側のトレー１のものであり，第２結合ステージ２８は図中左側のトレー１のものである。そして当該箇所は，ボルト３４およびナット３５で締結されている。その箇所ではパレット１２も合わせて固定されている。
【００３５】
次に，本形態の変形例について，図１４〜図１６により説明する。本変形例に係るトレー４１は，上方から見た全体形状がほぼ正方形状であるものである（図１５）。トレー４１では，図１５中での右辺および下辺に側壁保持形状部１９が形成されている。もちろんそこには保持面２４や，底部２５，穴２６も形成されている。したがってトレー４１では，図１５中での右辺および下辺が外向き辺である。一方，トレー４１における図１５中での左辺および上辺には，側壁保持形状部１９は形成されていない。代わりに，左辺には第１結合ステージ２７が，上辺には第２結合ステージ２８が，それぞれ設けられている。穴３３も形成されている。したがってトレー４１では，図１５中での左辺および上辺が内向き辺である。
【００３６】
したがって，４個のトレー４１を結合させてなるトレー結合体４６（図１６）では，各トレー４１における，図１５中での右辺および下辺が，全体としての外辺をなしている。なお，トレー４１では，前述のトレー１における物品支持形状部９，１０と同様の形状の部位は設けられていない。トレー４１にはその代わりに，四辺のすぐ内側に土手状の堰堤部４９が形成されている。トレー４１では堰堤部４９が，載置物品を支持するための形状の部分である。また，トレー４１では，前述のトレー１とは異なり，開口部８が形成されていない。代わりにトレー４１には，堰堤部４９より内側の部分全体が底面４２となっている。ただしこの点は任意であり，トレー４１に開口部８を設けてもよいし，トレー１に開口部８がなくてもよい。
【００３７】
以上詳細に説明したように本実施の形態に係るトレー１によれば，上方から見たときの全体形状が，トレー結合体１３，１６における外辺の一部をなす第１長辺部２および第１短辺部４と，トレー結合体１３，１６における外辺をなさない第２長辺部３および第２短辺部５とを有する形状となっている。そして第２長辺部３および第２短辺部５に，トレー結合体１３，１６としての結合時に重ね合わせの上側となる第１結合ステージ２７と，下側となる第２結合ステージ２８とを設けている。これにより，専用品のパレットを必要とすることなくトレー結合体１３，１６を構成して複数の物品を載置できる物品載置用トレーが実現されている。
【００３８】
さらに，第１長辺部２および第１短辺部４に側壁保持形状部１９を設けることで，トレー結合体１３，１６を構成した状態では，簡単な構成の角筒部材２１を用いて梱包体２３を構成できるようにしている。変形例に係るトレー４１でも同様である。また，複数のトレー１，４１を結合したトレー結合体１３，１６，４６が実現されている。
【００３９】
なお，本実施の形態は単なる例示にすぎず，本発明を何ら限定するものではない。したがって本発明は当然に，その要旨を逸脱しない範囲内で種々の改良，変形が可能である。例えば，載置物品としては鋼線巻き取り用ボビン１４を例示したがこれに限らない。鋼線以外の線材を巻き取るボビンでもよいし，そもそもボビンでなくてもよい。載置物品を支持する形状部分についても，物品支持形状部９，１０あるいは堰堤部４９として示した形状に限らない。載置する物品の形状に応じた任意の形状でよい。載置する物品の形状によっては，特段にその支持のための形状といえる部位を要しないこともある。また，開口部８が形成されている場合において，全体が四角形の環状であることも必須ではない。つまり，トレー１において，第１長辺部２と第２長辺部３とのいずれか一方が途切れている形状であってもよい。
【００４０】
また，トレー１，４１として示したものでは，側壁保持形状部１９ないし保持面２４を，トレー結合体１３，１６，４６における外辺となる辺全体にわたって設けている。しかしこのことも必須でなく，外辺となる辺のうち一部分にのみ側壁保持形状部１９ないし保持面２４が形成されているものであってもよい。要は，トレー結合体１３，１６，４６を組んだ状態で安定して角筒部材２１を保持できればよい。また，底部２５が保持面２４よりも下方に凹んでいることも必須ではない。ボルト３４の頭が保持面２４より上方に突出した状態となっていたとしても，必ずしも角筒部材２１の安定した保持ができないとは限らないからである。例えば，角筒部材２１の下端にボルト３４の頭を回避する凹部を設けておけばよい。
【００４１】
また，前述の説明では上箱体２０として，角筒部材２１と蓋部材２２とが別体であるものを想定したが，一体であってもよい。逆に，角筒部材２１がさらに複数ピースに分かれるものでもよい。例えば，一角とその対角の位置で２つに分離した形状でもよいし，一辺の途中とその対辺の途中の位置で２つに分離した形状でもよい。一角とその隣の角の位置で３辺部材と１辺部材とに分離することも考えられるが，その場合には１辺部材を蓋部材２２と一体化した方がよい。また，蓋部材２２を用いず角筒部材２１のみであってもよい。また，物品の装飾的展示目的で利用する場合を考えると，上箱体２０を用いないこともある。その場合には側壁保持形状部１９および保持面２４は不要である。
【００４２】
また，前述の説明では，トレー１，４１には第１結合ステージ２７と，第２結合ステージ２８とを１箇所ずつ設けたが，このことも必須ではない。第１結合ステージ２７を２箇所に有し第２結合ステージ２８を有しないものと，第２結合ステージ２８を２箇所に有し第１結合ステージ２７を有しないものとを２個ずつ，合わせて４個でトレー結合体を構成することもできる。ただしその場合，２種類のトレーを作り分ける必要があり，また使用時には使い分ける必要があるという点では不利である。また，第１結合ステージ２７や第２結合ステージ２８の形状自体も任意である。要は，トレー１の内向き辺同士，トレー４１の内向き辺同士，を結合できる形状であればよい。外向き辺における底部２５の箇所の形状も，パレット１２との結合ができるいかなる形状でもよい。
【００４３】
また，トレー１のように全体形状が長方形である場合，トレー結合体１３，１６におけるトレー１の位置も変更可能である。すなわち，図６を見ると，各トレー１がパレット１２の頂点に合わせて配置されている。これにより，各トレー１の第２短辺部５が，隣のトレー１の第２長辺部３のうち最も外寄りの位置と対面している。これを変更して，パレット１２の外辺寄りの部分が少し露出する配置としてもよい。すなわち，各トレー１の第２短辺部５が，隣のトレー１の第２長辺部３のうち最も内寄りの位置もしくは途中の位置と対面するようにすることもできる。このようにするとスペース効率ではやや不利であるが，トレー結合体を構成させることは可能である。その場合に側壁保持形状部１９および保持面２４は，トレー結合体全体としての外辺となる部分にのみ形成されていれば十分である。また，第２長辺部３のうち第２短辺部５と対面しない部分は，直線状でなくてもよい。
【００４４】
また，トレー４１のように全体形状がほぼ正方形である場合，トレー結合体を構成するためのトレー４１の個数は，４個とは限らない。例えば２行×３列の６個でトレー結合体を構成させることもできる。その場合，中央列の２個のトレーは，本形態のものとは異なり，１辺のみが外向き辺で３辺が内向き辺のものとなる。しかし四隅の位置の４個のトレー４１は，本発明の範囲内のものである。さらに多くの個数のトレーでトレー結合体を構成することも可能である。
【００４５】
また，トレーを上方から見たときの全体形状は，長方形または正方形に限定される訳ではない。例えば，個々のトレーの全体形状を平行四辺形または台形として，トレー結合体の全体形状が正方形以外の正多角形（正三角形，正六角形等）となるようにすることもできる。さらにその場合，外向き辺となる辺は，２辺に明確に分かれている必要はない。外向き辺となる辺が全体で円弧状をなしており，トレー結合体の全体としての外形が円形（ただしトレーの個数は有限）となるようなものでもよい。
【符号の説明】
【００４６】
１    トレー
２    第１長辺部
３    第２長辺部
４    第１短辺部
５    第２短辺部
９    物品支持形状部
１０  物品支持形状部
１３  トレー結合体
１６  トレー結合体
１７  外向きの縁辺
１８  外向きの縁辺
１９  側壁保持形状部
２４  保持面
２５  底部
２６  穴（第３結合形状部）
２７  第１結合ステージ（第１結合形状部）
２８  第２結合ステージ（第２結合形状部）
２９  内向きの縁辺
３０  内向きの縁辺
３１  凹部
３２  凹部
３３  穴
４１  トレー
４６  トレー結合体
４９  堰堤部
【図１】
2019094076.tif 000003
【図２】
2019094076.tif 000004
【図３】
2019094076.tif 000005
【図４】
2019094076.tif 000006
【図５】
2019094076.tif 000007
【図６】
2019094076.tif 000008
【図７】
2019094076.tif 000009
【図８】
2019094076.tif 000010
【図９】
2019094076.tif 000011
【図１０】
2019094076.tif 000012
【図１１】
2019094076.tif 000013
【図１２】
2019094076.tif 000014
【図１３】
2019094076.tif 000015
【図１４】
2019094076.tif 000016
【図１５】
2019094076.tif 000017
【図１６】
2019094076.tif 000018